(57)【要約】【課題】簡易な構成で間仕切り材を好適に支持することのできる嵌め殺し用枠体に用いられる嵌め殺し用枠材を提供する。【解決手段】嵌め殺し用枠材１０は、ガラス板の外縁を支持する本体部２０と、本体部２０に取り付けられる嵌着体４０と、を備え、本体部２０には、引掛け部２５が形成されており、嵌着体４０には、被引掛け部４５が形成されており、本体部２０にガラス板が配置された上で、引掛け部２５に被引掛け部４５が嵌合することによって本体部２０に嵌着体４０が取り付けられ、本体部２０と嵌着体４０との間にガラス板の外縁が配置されて、本体部２０にガラス板の外縁が支持されることとなる。【選択図】図２
0003230645.tif 000002
【実用新案登録請求の範囲】
【請求項１】
板状の間仕切り材を囲繞して所定の取付対象部に嵌め殺し状に当該間仕切り材を取り付ける嵌め殺し用枠体の一部を構成する嵌め殺し用枠材であって、
長尺で所定長さを有し、前記取付対象部に取り付けられて前記間仕切り材の外縁を支持する本体部と、
長尺であり、前記本体部の長尺方向に沿って当該本体部に取り付けられる嵌着体と、
を備え、
前記本体部には、嵌合部が形成されており、
前記嵌着体には、被嵌合部が形成されており、
前記嵌合部に前記被嵌合部が嵌合することによって前記本体部に前記嵌着体が取り付けられるものであり、あらかじめ前記間仕切り材が前記本体部の所要位置に配置された状態で前記嵌着体が前記本体部に取り付けられると、当該本体部における当該嵌着体に対向する部位と、当該嵌着体との間に前記間仕切り材の外縁が介在して当該本体部が当該間仕切り材の外縁を支持してなる
ことを特徴とする嵌め殺し用枠材。
【請求項２】
前記嵌着体が、前記嵌め殺し用枠体における枠中央から当該嵌め殺し用枠体の外側に向かう方向を取付方向として前記本体部に取り付けられてなる
請求項１に記載の嵌め殺し用枠材。
【請求項３】
前記嵌合部は、前記取付方向に沿って突き出された弾性変形自在な引掛け部を備え、
前記被嵌合部は、前記取付方向に沿って突き出され、前記嵌合部に前記被嵌合部が嵌合した状態で前記引掛け部と係合する弾性変形自在な被引掛け部を備えてなる
請求項２に記載の嵌め殺し用枠材。
【考案の詳細な説明】
【技術分野】
【０００１】
本考案は、例えばガラス板などの間仕切り材を取り付けるために用いられる嵌め殺し用枠体の一部を構成する嵌め殺し用枠材に関する。
【背景技術】
【０００２】
例えば特許文献１には、サッシ枠体にパネル（間仕切り材）を装着した嵌め殺しサッシユニットが開示されている。この嵌め殺しサッシユニットには、パネルが押縁方向に倒れることを阻止する支持金具が用いられている。
【先行技術文献】
【特許文献】
【０００３】
【特許文献１】特開２００１−２０７７４１号公報
【考案の概要】
【考案が解決しようとする課題】
【０００４】
しかしながら、特許文献１の嵌め殺しサッシユニットにあっては、パネルの重さとパネルにかかる外力が全て前記支持金具にかかり、支持金具が小型であるとパネルが支持しきれずに破損するおそれがあった。特に、支持金具をパネルの板厚方向に差し込んで固定するものである場合には、強度が不足しがちであった。
【０００５】
本考案は、簡易な構成で間仕切り材を好適に支持することのできる嵌め殺し用枠体に用いられる嵌め殺し用枠材を提供することを目的とする。
【課題を解決するための手段】
【０００６】
本考案は、板状の間仕切り材を囲繞して所定の取付対象部に嵌め殺し状に当該間仕切り材を取り付ける嵌め殺し用枠体の一部を構成する嵌め殺し用枠材であって、長尺で所定長さを有し、前記取付対象部に取り付けられて前記間仕切り材の外縁を支持する本体部と、長尺であり、前記本体部の長尺方向に沿って当該本体部に取り付けられる嵌着体と、を備え、前記本体部には、嵌合部が形成されており、前記嵌着体には、被嵌合部が形成されており、前記嵌合部に前記被嵌合部が嵌合することによって前記本体部に前記嵌着体が取り付けられるものであり、あらかじめ前記間仕切り材が前記本体部の所要位置に配置された状態で前記嵌着体が前記本体部に取り付けられると、当該本体部における当該嵌着体に対向する部位と、当該嵌着体との間に前記間仕切り材の外縁が介在して当該本体部が当該間仕切り材の外縁を支持してなることを特徴とする嵌め殺し用枠材である。
【０００７】
かかる構成にあっては、前記本体部と前記嵌着体との間で、例えばガラス板などの間仕切り材の外縁を挟持するように支持するものであり、当該外縁の長手方向にわたって嵌着体が当該外縁に当接することで間仕切り材が強固に固定されることとなる。
【０００８】
また、前記嵌着体が、前記嵌め殺し用枠体における枠中央から当該嵌め殺し用枠体の外側に向かう方向を取付方向として前記本体部に取り付けられてなる構成が提案される。
【０００９】
かかる構成とすることにより、前記間仕切り材の板厚方向に加わる外力に対しても前記嵌着体は脱離し難くなる。このため、かかる構成によれば、意図しない嵌着体の脱落を好適に抑制することができる。
【００１０】
また、前記嵌合部は、前記取付方向に沿って突き出された弾性変形自在な引掛け部を備え、前記被嵌合部は、前記取付方向に沿って突き出され、前記嵌合部に前記被嵌合部が嵌合した状態で前記引掛け部と係合する弾性変形自在な被引掛け部を備えてなる構成が提案される。
【００１１】
かかる構成とすることにより、前記嵌着体を簡易な構造で前記本体部に確実に取り付けることができる。
【考案の効果】
【００１２】
本考案にかかる嵌め殺し用枠材は、簡易な構成で間仕切り材を好適に支持することのできる嵌め殺し用枠体を構築できるという効果がある。
【図面の簡単な説明】
【００１３】
【図１】実施例にかかる嵌め殺し用枠体を壁部に取り付けた状態を示す説明図である。
【図２】実施例にかかる嵌め殺し用枠材の斜視図である。
【図３】実施例にかかる本体部の斜視図である。
【図４】実施例にかかる嵌着体の斜視図である。
【図５】実施例にかかる嵌め殺し用枠材を壁部に取り付ける手順を示す説明図である。
【図６】実施例にかかる嵌め殺し用枠材を壁部に取り付ける手順を示す説明図である。
【図７】変形例にかかる嵌め殺し用枠材の断面図である。
【考案を実施するための形態】
【００１４】
以下に本考案を具体化した実施例を詳細に説明する。なお、本考案は、下記に示す実施例に限定されることはなく、適宜、設計変更が可能である。
【００１５】
図１に示すように、嵌め殺し用枠体１は、矩形の窓があいた壁部Ｗ（取付対象部）に、ガラス板２（間仕切り材）を前記窓に合わせて嵌め殺し状に取り付けるために使用される。
【００１６】
具体的に嵌め殺し用枠体１は、正面視で口字形状を有しており、ガラス板２を囲繞している。さらに、この嵌め殺し用枠体１は、ガラス板２の各辺に配置される複数の嵌め殺し用枠材１０によって構成されている。
【００１７】
さらに詳述すると、嵌め殺し用枠材１０は、図２に示すように、金属製で長尺の本体部２０と、本体部２０と同じ長さを有する金属製で長尺の嵌着体４０と、を備えている。
【００１８】
本体部２０は、図２、図３に示すように、平板形状の本体ベース部２１を備えている。また、本体部２０の短手方向において、一側の端部には本体側支持段部２２が形成されている。さらに他側の端部には、先端部が外向きに膨出した一対の引掛け部２５，２５（嵌合部）が直立状に突き出されている。
【００１９】
また、本体ベース部２１の略中央には、取り付け案内用溝部３１が当該本体ベース部２１の長手方向に沿って形成されている。また、一対の引掛け部２５，２５の間にも、取り付け案内用溝部３２が当該本体ベース部２１の長手方向に沿って形成されている。
【００２０】
次に、嵌着体４０について説明する。
嵌着体４０は、図２、図４に示すように、縦断面がほぼコ字状であり、長尺で平板形状の嵌着ベース部４１を中央に備えている。また、嵌着体４０の短手方向における両端部からは、先端部が内向きに膨出した一対の被引掛け部４５，４５（被嵌合部）が突き出されている。
【００２１】
次に、嵌め殺し用枠材１０の使用形態について説明する。
嵌め殺し用枠材１０は、ガラス板２の各辺の長さに応じて所要長さとされた上で壁部Ｗに取り付けられる。このとき本体部２０は、壁部Ｗに対して取り付け用ネジ７０で固定される。なお、本体部２０には取り付け案内用溝部３１が形成されており、かかる位置に取り付け用ネジ７０が差し入れられる。
【００２２】
次に、図５（ｂ）に示すように、ガラス板２を本体部２０の本体側支持段部２２にあてがうように配置する。
【００２３】
その後、図６に示すように、嵌着体４０の被引掛け部４５，４５と、本体部２０の引掛け部２５，２５とを互いに向かい合わせ、互いに近づけるように、嵌着体４０を、嵌め殺し用枠体１の枠中央から当該嵌め殺し用枠体１の外側に向かう方向に移動させて本体部２０に取り付ける。具体的に本体部２０に嵌着体４０を取り付けた状態では、引掛け部２５，２５と被引掛け部４５，４５とが互いに弾性変形して先端部が互いに係合する。
【００２４】
上述のように、本体部２０に嵌着体４０が取り付けられると、互いに対向する本体部２０と嵌着体４０との間にガラス板２の外縁が介在することとなり、これにより本体部２０がガラス板２の外縁を支持した状態が得られる。
【００２５】
なお、引掛け部２５，２５と被引掛け部４５，４５は、ガラス板２の板厚方向と直交する方向に突き出されており、この突出方向を本体部２０及び嵌着体４０の取付方向としている。したがって、ガラス板２の取付方向と嵌着体４０の取付方向とが同じ向きとならないため、仮にガラス板２に板厚方向の荷重が付与されても、嵌着体４０が外れてしまったりぐらついてしまったりすることが抑制されている。
【００２６】
また、本体部２０と嵌着体４０の外形は、直線基調となっており、施工時の外観がシンプルな美観となる利点がある。
【００２７】
なお、間仕切り材としてのガラス板２は、他の材料からなる板材であってもよく、例えば絵画や彫刻等の美術的要素が施されたベニヤ板や金属板等であってもよい。
【００２８】
また、ガラス板２と本体部２０との間には、緩衝材が充填されてもよい。
【００２９】
また、嵌め殺し用枠体１が取り付けられる壁部Ｗは、パーティションとしてのパネル材や、天井部を構成するものも含まれる。
【００３０】
上記実施例において、各部の寸法形状は適宜自由に選択可能である。
また、図７（ａ）に示すように、本体ベース部２１は平板形状に限定されず、強度が高い箱状の本体部５０にしてもよい。また、図７（ｂ）に示すように、本体側支持段部２２の形状が他の形状の本体部６０としてもよい。
【００３１】
また、本考案にかかる嵌合部や被嵌合部の形状は特に限定されることがなく、また、本体部２０や嵌着体４０の長手方向にわたって間欠的に配置されていてもよい。
【符号の説明】
【００３２】
１                嵌め殺し用枠体
２                ガラス板（間仕切り材）
１０              嵌め殺し用枠材
２０，５０，６０  本体部
２１              本体ベース部
２２              本体側支持段部
２５              引掛け部（嵌合部）
３１，３２        取り付け案内用溝部
４０              嵌着体
４１              嵌着ベース部
４５              被引掛け部（被嵌合部）
７０              取り付け用ネジ
Ｗ                壁部（取付対象部）
【図１】
0003230645.tif 000003
【図２】
0003230645.tif 000004
【図３】
0003230645.tif 000005
【図４】
0003230645.tif 000006
【図５】
0003230645.tif 000007
【図６】
0003230645.tif 000008
【図７】
0003230645.tif 000009